(57)【要約】【課題】  スピーカボックスの音響室の奥行寸法をスピーカの大きさに適応した奥行き寸法に容易に設定することができると共に、スピーカを安定よく装着することができる遊技機を提供する。【解決手段】  遊技盤用の開口部を有する遊技盤装着部３１に対し遊技盤４０が着脱可能に装着される合成樹脂製の本体枠３０を備える。遊技盤装着部３１の開口部の下方に、前方に開口しかつ音響室７１を有するスピーカボックス部７０が配置されている。【選択図】        図１
2005218852.tif 000002
【特許請求の範囲】
【請求項１】
遊技盤用の開口部を有する遊技盤装着体に対し遊技盤が着脱可能に装着される合成樹脂製の本体枠を備え、前記遊技盤装着体の開口部の下方に、前方に開口しかつ音響室を有するスピーカボックスが配置されていることを特徴とする遊技機。
【発明の詳細な説明】
【技術分野】
【０００１】
この発明は、パチンコ機等の弾球遊技機やスロットマシン等の遊技機に関する。
【背景技術】
【０００２】
従来、この種の遊技機において、遊技機の所定位置にスピーカが装着されたものが知られている。
また、スピーカを備えた遊技機において、前方に開口する箱形状のスピーカボックスにスピーカを装着することで音質の向上を図ることが知られている。
例えば、遊技機の前枠（本体枠）の前側下部に装着された発射レール基盤の前側にスピーカボックス（スピーカユニット取付基盤）が装着され、そのスピーカボックスに前側開口部にスピーカ（例えば、コーン型スピーカユニット）が装着された構造のものが知られている（例えば、特許文献１参照）。
また、外枠の前側にヒンジ機構に開閉可能に装着された合成樹脂製の前面枠に、スピーカボックスの前側を構成する前ケース体が一体成形され、前面枠にねじ止めされた合成樹脂製の機構盤に、スピーカボックスの後側を構成する後ケース体が形成され、前ケース体の前面にスピーカが固定された構造のものが知られている（例えば、特許文献２参照）。
【特許文献１】特開２０００ー３０８７４４号公報（第３−５頁、図５−７）
【特許文献２】特開２０００ー２９６２１１号公報（第３頁、図１−２）
【発明の開示】
【発明が解決しようとする課題】
【０００３】
ところで、特許文献１に開示されたものにおいては、遊技機の前枠（本体枠）の前側下部に装着された発射レール基盤の前側にスピーカボックスを装着する構造上、スピーカボックスの奥行寸法が本体枠の前面によって制限される。このため、スピーカボックスの奥行寸法を大きくして音質を高めるには限界があった。
すなわち、特許文献１に開示されたものにおいては、スピーカの振動板の後側とスピーカボックスの後壁部との間の空間部内には、スピーカの前側に発生する音波とは逆位相の音波が発生する。このスピーカの振動板の後側とスピーカボックスの後壁部との間の空間部内に発生する音波によってスピーカの振動板の動きが阻害されることを抑制するために、スピーカボックスの前記空間部は、スピーカに適応した十分な奥行き寸法を備えた空間部に設定する必要がある。
しかしながら、特許文献１に開示されたものにおいては、スピーカボックスの奥行寸法が本体枠の前面によって制限されるため、スピーカボックスの奥行き寸法をスピーカに適応する大きさに設定することが困難となる。
一方、特許文献２に開示されたものにおいては、前ケース体と、後ケース体によってスピーカボックスの奥行き寸法を大きくすることが可能である。
しかしながら、特許文献２に開示されたものにおいては、前ケース体と、後ケース体によってスピーカボックスを前後に分割構成する構造上、その分割面において、ビビリ音等の異音が発生し易くなるとともに、両分割面の間の隙間から逆位相の音波が漏れ出る場合もある。分割面の間の隙間から逆位相の音波が漏れ出ると、スピーカの振動板の前側にでる正位相の音波を乱し、音響効果が低下する。
【０００４】
この発明の目的は、前記問題点に鑑み、スピーカの作動時にスピーカボックスの音響室内に発生する音波によってスピーカの振動板の動きが阻害されることを良好に抑制することができると共に、スピーカを安定よく装着することができるスピーカボックスを備えた遊技機を提供することである。
【課題を解決するための手段】
【０００５】
前記目的を達成するために、請求項１の発明に係る遊技機は、
「外枠の前側に、本体枠がヒンジ機構によって開閉可能に装着され、前記本体枠に、遊技盤が着脱可能に嵌込まれる遊技盤装着枠が設けられ、前記本体枠の前側に、スピーカが装着された遊技機であって、
前記本体枠は、前記遊技盤装着枠を構成する遊技盤装着体と、後側に球払出装置が装着される機構装着体と、を備えるとともに、合成樹脂材によって一体成形され、
前記本体枠には、同本体枠の前面から後方に向かって延びかつ周壁部と後壁部とを有して前方に開口する箱形状のスピーカボックスが、前記本体枠の成形と同時に一体に形成され、
前記スピーカボックスの開口部には、同開口部を塞ぐようにしてスピーカが装着されるとともに、同スピーカの振動板の後側と前記後壁部との間に構成された空間部を音響室とし、
しかも、前記スピーカの作動時に前記音響室内に発生する音波によって前記スピーカの振動板の動きが阻害されることを抑制するために、前記スピーカボックスは、その後壁部が前記遊技盤装着枠の後側を越える奥行き寸法をもって大きく形成されていることを特徴とする遊技機。」
を要旨とするものである。
【０００６】
前記構成において、遊技盤装着体と、機構装着体と、を備えるとともに、合成樹脂材によって一体成形された本体枠は、大型で剛性が高くかつ前後方向の奥行き寸法も大きくなる。そして、本体枠の成形と同時に、前方に開口する箱形状のスピーカボックスを一体に形成することによって、奥行き寸法が大きいスピーカボックスを良好に得ることができるとともに、スピーカボックスの開口部にスピーカを安定よく装着することができる。
これによって、スピーカの振動板の後側とスピーカボックスの後壁部との間に密閉状の音響室を構成することが可能となる。
特に、スピーカボックスは、その後壁部が遊技盤装着枠の後側を越える奥行き寸法をもって大きく形成されるため、スピーカの作動時に音響室内に発生する音波によってスピーカの振動板の動きが阻害されることを良好に抑制することができる。
言い換えると、スピーカの作動時に音響室に発生する音波によってスピーカの振動板の動きが阻害されることを抑制することができる大きさにおいて、スピーカボックスの奥行き寸法を容易に設定することができる。
しかも、大型で剛性が高くかつ前後方向の奥行き寸法が大きい本体枠の成形と同時に、前方に開口する箱形状のスピーカボックスを一体に形成することによって、スピーカボックスを前ケース体と、後ケース体によって分割構成する特許文献１のものと比べ、スピーカを安定よくかつ強固に装着することができるとともに、ビビリ音等の異音が発生や音響室内の逆位相の音波が漏れ出ることを防止することができ、音響効果を良好に高めることができる。
【０００７】
すなわち、音響室とは、スピーカの作動時に発生する音波を外部に漏出させることがないように、スピーカの振動板の後側とスピーカボックの後壁部との間に構成された密閉された空間部であり、さらに、前記音波によってスピーカの振動板の動きが著しく阻害されることがないような奥行き寸法（容積）を有するものである。
また、この発明では、密閉型のスピーカボック、あるいはバスレフ型のスピーカボックいずれにおいても適応することができる。
また、バスレフ型のスピーカボックを構成する場合においては、スピーカの作動時に音響室内に発生する逆位相の音波を正位相に反転して前方に放出するバスレフ用の音響通路が設定される。
【０００８】
請求項２の発明に係る遊技機は、
「請求項１に記載の遊技機であって、
本体枠には、遊技盤装着体の開口の下方に位置する一側寄り部分に球を発射する発射装置が配置されるとともに、他側寄り部分にスピーカボックスが形成されていることを特徴とする遊技機。」
を要旨とするものである。
したがって、発射装置から遠い位置にスピーカボックスを形成することができるため、スピーカ作動時の振動が発射装置に伝達されることを軽減することができる。
すなわち、スピーカ作動時の振動が原因となって発射装置の発射レールや発射ハンマーが不測に振動される不具合を防止することができるため、発射レールの発射位置から発射される球（パチンコ球）が不測に変化して発射される発射不良を良好に防止することができる。
【０００９】
請求項３の発明に係る遊技機は、
「請求項１又は２に記載の遊技機であって、
スピーカボックスは、その開口側が広く、奥側が狭い箱形状に形成されていることを特徴とする遊技機。」
を要旨とするものである。
したがって、スピーカボックスにおいて、その開口側が広く、奥側が狭い箱形状に形成されることで、開口側と奥側とが略同じ大きさの箱形状に形成される場合と比べ遊技機後側における各種の装置、構成部品、構成部材等の配置スペースの確保が容易となる。
【００１０】
請求項４の発明に係る遊技機は、
「請求項１又は２に記載の遊技機であって、
スピーカボックスの周壁部の内壁面は、開口側が広く奥側が狭い段差形状に形成されていることを特徴とする遊技機。」
を要旨とするものである。
したがって、スピーカボックスの音響室の内壁部が段差形状に形成されることで、スピーカボックスの強度が良好に高められる。このため、スピーカ作動時のスピーカボックスの振動を良好に抑えることができ、ひいては本体枠の振動防止に効果が大きい。
また、段差形状に形成される音響室の内壁部は、開口側が広く奥側が狭いため、例えば、合成樹脂材によって本体枠の成形と同時にスピーカボックスを形成した後、脱型する際、本体枠の脱型がスピーカボックスによって困難となる不具合を防止することができる。
【００１１】
請求項５の発明に係る遊技機は、
「請求項３又は４に記載の遊技機であって、
スピーカボックスの周壁部の内壁面は、開口側が広く奥側が狭くなるように傾斜する傾斜面又はテーパ面に形成されていることを特徴とする遊技機。」
を要旨とするものである。
したがって、合成樹脂材によって本体枠の成形と同時にスピーカボックスを形成した後、脱型する際、本体枠の脱型がより一層容易となる。
【００１２】
請求項６の発明に係る遊技機は、
「請求項１〜５のいずれか一項に記載の遊技機であって、
音響室に一端部が連通され他端が本体枠の前側に開口する音響通路が設けられ、
前記音響室の内壁部には、同内壁部と協働して音響通路を構成するダクト部材が装着されていることを特徴とする遊技機。」
を要旨とするものである。
したがって、音響室の内壁部とダクト部材の協働によって音響通路を容易に構成することができる。
また、スピーカの作動時に音響室内に発生する逆位相の音波を正位相に反転して前方に放出することができるように、音響通路を、所要とする横断面積及び通路長さに設定することによって、バスレフ用の音響通路を容易に設定することができ、音響効果を高めることができる。
【００１３】
請求項７の発明に係る遊技機は、
「請求項６に記載の遊技機であって、
音響室の内壁部とダクト部材とのうち、少なくとも一方に音響通路に対応する凹条部が形成されていることを特徴とする遊技機。」
を要旨とするものである。
したがって、音響室の内壁部とダクト部材とのうち、少なくとも一方に凹条部が形成されることによって音響通路が容易に構成される。
【００１４】
請求項８の発明に係る遊技機は、
「請求項６又は７に記載の遊技機であって、
スピーカボックスの音響室の内壁部とダクト部材との間には、スライド可能に嵌合して前記音響室の内壁部の所定位置に前記ダクト部材を装着する嵌合凹部と嵌合凸部とがそれぞれ設けられていることを特徴とする遊技機。」
を要旨とするものである。
したがって、嵌合凹部と嵌合凸部とが嵌合した状態でダクト部材を音響室の内壁部に沿ってスライドさせることで、音響室の内壁部の所定位置にダクト部材が容易に装着される。
【００１５】
請求項９の発明に係る遊技機は、
「請求項１〜８のいずれか一項に記載の遊技機であって、
スピーカは、弾性体よりなる防振パッキンを介してスピーカボックスの開口部に装着されていることを特徴とする遊技機。」
を要旨とするものである。
したがって、スピーカボックスの開口部に弾性体よりなる防振パッキンを介してスピーカが装着されることで、スピーカ作動時の振動が本体枠に伝達される不具合を防止することができる。言い換えると、スピーカ作動時における本体枠に対する振動伝達を良好に抑えることができる。
【発明の効果】
【００１６】
この発明によれば、スピーカの作動時にスピーカボックスの音響室内に発生する音波によってスピーカの振動板の動きが阻害されるのを良好に抑制することができると共に、スピーカを安定よく装着することができ、ひいては音響効果を高めることができる。
【発明を実施するための最良の形態】
【００１７】
次に、この発明を実施するための最良の形態を実施例にしたがって説明する。
【実施例】
【００１８】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠と遊技盤とを分離して斜め右上前方から示す斜視図である。図５は遊技機の本体枠を斜め左上前方から示す斜視図である。図６は本体枠のスピーカボックス、ダクト部材及びスピーカの関係を分離して示す斜視図である。図７はスピーカ装着板、スピーカ及び防振パッキンを分離して示す斜視図である。図８はスピーカボックスにスピーカが装着された状態を示す側断面図である。図９はスピーカボックスの側壁部にダクト部材が装着された状態を示す側断面図である。図１０は図９のＸ−Ｘ線に基づく平断面図である。なお、説明の便宜上、遊技機において遊技者側を前、反対側を後として説明する。
【００１９】
［遊技機の概要について］
図１〜図３に示すように、遊技機としてのパチンコ機は、外枠１０、本体枠３０、遊技盤４０、ガラス扉１３０等を備えて構成されている。
外枠１０は、上下左右の枠材によって縦長四角形の枠状に形成され、その外枠１０の前面の片側には、本体枠開閉用ヒンジ機構２０によって本体枠３０が前方に開閉可能に装着されている。
【００２０】
［本体枠について］
本体枠３０は、合成樹脂材によって一体に形成されるとともに、図４に示すように、その前側に遊技盤装着体３１が後側に機構装着体１６０がそれぞれ形成されている。これによって、本体枠３０は、従来の前枠（内枠、前面枠等と呼ばれることがある）と、機構板（裏機構板、裏セット板等と呼ばれることがある）との機能を兼ね備えている。
また、本体枠３０には、そのヒンジ機構と反対側の自由端側の後側において、外枠１０に設けられた係止具に係脱可能に係合して本体枠３０を閉じ状態に施錠する本体枠施錠フック１４５が配設されている。
【００２１】
図４と図５に示すように、本体枠３０の前側の遊技盤装着体３１は、遊技盤４０が前側から着脱交換可能に嵌込まれる遊技盤装着枠３３を有し、その遊技盤装着枠３３の後側（奥側）の枠部内周には遊技盤４０の後側の周縁部を受け止める後面受け部３４が形成されている。
また、遊技盤装着枠３３の一側内壁面の上下部２箇所には、後面受け部３４との間に遊技盤４０の一側部が差し込み可能な間隔を隔てて前面押え部３５が形成されている。
また、図５に示すように、遊技盤装着枠３３の他側内壁面の上下部２箇所には、遊技盤４０のロック部材５０に対応する係止溝３６が形成されている。
また、遊技盤装着枠３３の他側部近傍には、本体枠３０側と遊技盤４０側とを電気的に接続するための本体側コネクタ３７が設置されている。
また、遊技盤装着枠３３の下側部には、遊技盤４０の前面下部を遊技盤装着枠３３の後面受け部３４に押さえ付けて緊締するターンバックル形式の緊締具５５が装着されている。
【００２２】
［遊技盤について］
図１と図４に示すように、遊技盤４０は、遊技盤装着体３１の遊技盤装着枠３３に嵌込まれる大きさの略四角板状に形成されている。遊技盤４０の盤面（前面）には、外レール４２と内レール４３とを備えた案内レール４１が設けられ、その案内レール４１の内側に遊技領域４４が区画形成されている。
遊技盤４０には、その遊技領域４４内において、遊技に関する役物装置、例えば、センタ役物と呼ばれる役物装置４６、図柄表示装置４８、入賞装置等の役物装置や風車器、誘導釘、ランプ装飾部材等の各種の装備品が配設されている。これら各種の装備品のうち、所定の装備品の後部、この実施例では、役物装置４６の役物本体４７の後部４７ａが遊技盤４０の後側に突出して配設される（図３参照）。
また、図４に示すように、遊技盤４０の前面には、その案内レール４１の外側領域において、合成樹脂製の前構成部材４０ａが装着されている。
【００２３】
この実施例において、役物装置４６の役物本体４７には、略中央部に開口窓が形成され、図柄表示装置（例えば、液晶パネル）４８の表示面４９は役物本体４７の後側においてその開口窓に臨んで装着されている。
そして、役物本体４７は、遊技盤４０の中央部に貫設された組付孔に嵌込まれ、同役物本体４７の後部４７ａ及び図柄表示装置４８の図柄制御基板ボックス４８ａは遊技盤４０の後側に突出して配設されている（図３参照）。
【００２４】
また、図４と図５に示すように、遊技盤４０前面の前構成部材４０ａの他側寄りの上下２箇所には、遊技盤装着枠３３の係止溝３６に対応する位置においてロック部材５０が軸と左右方向の長孔によって回動操作可能に装着されている。
そして、遊技盤４０（前構成部材４０ａを含む）は、その左右の一側部が遊技盤装着枠３３の後面受け部３４と前面押え部３５との間に差し込まれ、ロック部材５０の先端のロック部５１が遊技盤装着枠３３の係止溝３６に差し込まれて係合されることで本体枠３０の遊技盤装着体３１に装着されるようになっている（図１参照）。
【００２５】
また、この実施例において、遊技盤４０の後側には、その中央部から下部にわたる部分において、各種入賞装置に流入した球を受けかつその球を所定位置まで導く集合樋としての機能とボックス装着部としての機能を兼ね備えた後カバー体６０が設けられている。この後カバー体６０には、音声制御基板（スピーカ制御基板）、ランプ制御基板等の副制御基板が収納された副制御基板ボックス６５と、主制御基板が収納された主制御基板ボックス６１とが前後に重ね合わされた状態で装着されている（図３参照）。
さらに、遊技盤４０の後側に対し後カバー体６０、副制御基板ボックス６５及び主制御基板ボックス６１がそれぞれ装着された状態において、本体枠３０の遊技盤装着体３１の前側からその遊技盤装着枠３３内に遊技盤４０を嵌込んで装着できるように、遊技盤４０の外郭から外側にはみ出すことなく、後カバー体６０、副制御基板ボックス６５及び主制御基板ボックス６１が配置されている。
【００２６】
また、この実施例において、遊技盤４０の後側の他側寄り下部には、本体枠３０の遊技盤装着体３１の前側からその遊技盤装着枠３３内に遊技盤４０を嵌込む動作によって、本体側コネクタ３７に挿脱可能に差し込まれる遊技盤側コネクタ４５が設置されている（図４及び図５参照）。
【００２７】
［本体枠のスピーカボックス構造について］
図４〜図６に示すように、合成樹脂製の本体枠３０には、遊技盤装着体（遊技盤装着枠３３）３１の開口部の下方において、前方に開口する箱形状のスピーカボックス７０が一体に形成されている。
この実施例において、図６及び図８〜図１２に示すように、本体枠３０前面の遊技盤装着体３１よりも下方に位置する下部領域の一側（後述する操作ハンドル１１５が配設される側と反対側）にスピーカボックス７０が一体に形成されている。
すなわち、スピーカボックス７０は、上壁部７２、下壁部７３、左右の両側壁部７４及び後壁部７５を一体に備えている。そして、スピーカボックス７０の前側には、その空間部の開口部を塞ぐようにしてスピーカ装着板９０を介してコーン型のスピーカ９４が装着されている。これによって、スピーカ９４のコーン（すなわち、振動板）９９の後側と後壁部７５との間の空間部を音響室７１としている。
特に、スピーカ９４の作動時に音響室７１内に発生する音波によってスピーカ９４のコーン（すなわち、振動板）９９の動きが阻害されることを抑制するために、スピーカボックス７０は、その後壁部７５が遊技盤装着枠３１の後側を越える奥行き寸法をもって大きく形成されている。
これによって、スピーカボックス７０の奥行き寸法が、スピーカ９４に対し充分に適応し得るだけの大きさに確保されるようになっている。この実施例において、スピーカボックス７０は、その後壁部７５が本体枠３０の後側の機構装着体１６０の後面と略同一面をなす位置まで大きく形成されている。
【００２８】
また、図６及び図８〜図１２に示すように、スピーカボックス７０の空間部（音響室７１）の上壁部７２、下壁部７３、左右の両側壁部７４の各内壁部は複数段の段差状にそれぞれ形成され、これによってスピーカボックス７０は、開口側が広く、奥側が狭い段差形状に形成されている。さらに、後壁部７５においても、上半部が浅く下半部が深い段差状に形成されている。
また、図８〜図１０に示すように、スピーカボックス７０の周壁部をなす上壁部７２、下壁部７３、左右の両側壁部７４の各内壁面は、開口側が広く奥側が狭くなるように傾斜する傾斜面７２ｂ、７３ｂ、７４ｂ（又はテーパ面）に形成されている。
【００２９】
スピーカボックス７０の音響室７１の一側部には、一端部が音響室７１の奥側寄りに連通し他端が本体枠３０の前側に開口する音響用開口部８５を有する前後方向に長尺な音響通路８０が設けられている。
すなわち、図６と図１０に示すように、音響室７１の一方の側壁部７４ａの内壁側には、同側壁部７４と協働して音響通路８０を構成するダクト部材８１が装着されている。
そして、音響室７１の側壁部７４とダクト部材８１とのうち、少なくとも一方に音響通路８０に対応する凹条部７６（又は８２）が形成されている。
【００３０】
この実施例においては、図６と図１０に示すように、音響室７１の一方の側壁部７４ａと、ダクト部材８１との相互に音響通路８０に対応する凹条部７６、８２がそれぞれ形成されている。
すなわち、音響室７１の一方の側壁部７４ａの略中間高さ位置には、同側壁部７４の奥側寄り部分から前端にわたって前後方向に長尺な凹条部７６が形成されている。
また、音響室７１の一方の側壁部７４ａには、その凹条部７６の側方開口部の上下部に沿ってダクト部材８１に対応する嵌合凹部としてのスライド溝７８を有するレール片７９がそれぞれ一体に形成されている。また、音響室７１の一方の側壁部７４ａの奥側部においてもスライド溝７８ａを有するレール片７９ａが一体に形成されている。
【００３１】
図６、図９及び図１０に示すように、ダクト部材８１は、合成樹脂材によって前後方向に長尺に形成されるとともに、前端が閉じられ後端が開口する断面略半筒状に形成されている。そして、ダクト部材８１の半筒部内に音響通路８０に対応する凹条部８２が形成されている。
また、ダクト部材８１には、その前部から前方に所定長さだけ延出された平板状の前側支持片８３が一体に形成され、その前側支持片８３の上下縁の部分をスライド溝７８に対応するスライド片（この発明の嵌合凸部に相当する）８３ａとしている。
さらに、ダクト部材８１の後端には略コの字状をなす後側支持片８４が一体に形成されて、その後側支持片８４の上縁の部分をスライド溝７８ａに対応するスライド片８４ａとしている。
【００３２】
そして、音響室７１の前側からその一方の側壁部７４ａのスライド溝７８、７８ａにダクト部材８１のスライド片８３ａ、８４ａが差し込まれた状態で同ダクト部材８１が一方の側壁部７４ａの段差部又は後壁部７５に当接する所定位置までスライドされることで、一方の側壁部７４ａにダクト部材８１が位置決めされて装着されるようになっている。
また、一方の側壁部７４ａにダクト部材８１が装着された状態において、一方の側壁部７４ａの凹条部７６の前部側方がダクト部材８１の前側支持片８３によって塞がれこれによって前方に開口する音響用開口部８５が構成されるようになっている。
【００３３】
また、この実施例において、図６と図９に示すように、スピーカボックス７０の上壁部７２、下壁部７３、左右の両側壁部７４の各前縁部は略四角環状をなして本体枠３０前面から若干突出され当該突出部を環状突出部７０ａとしている。
さらに、スピーカボックス７０前縁の環状突出部７０ａの四隅部近傍の複数箇所には、スピーカ９４をスピーカ装着板９０を介しかつビスによって装着するためのボス部７０ｂがそれぞれ形成されている。
【００３４】
［スピーカボックスのスピーカ構造について］
図６と図７に示すように、スピーカ９４は、その主体部をなす磁石９８及びコーン（振動板）９９がスピーカフレーム９５に支持されて構成されたいわゆるコーン型スピーカが用いられている。そして、スピーカ９４は、そのスピーカフレーム９５の前縁部に形成されたフランジ部９６においてスピーカ装着板９０に装着されている。
スピーカボックス７０の音響室７１の開口部を塞いで装着されるスピーカ装着板９０は、合成樹脂材によってスピーカボックス７０前縁の環状突出部７０ａよりも若干大きい略四角形状に形成されている。
また、スピーカ装着板９０の前面には、スピーカフレーム９５のフランジ部９６が位置決めされて嵌込まれる凹部９１が形成されている。この凹部９１の底部には、スピーカフレーム９５のフランジ部９６に貫設された取付孔を通してねじ込まれるビスに対応するボス部９１ａが一体に形成されている。
さらに、凹部９１の底部中央部には、スピーカ９４の主体部をなす磁石９８及びコーン９９が後方に突出される開口孔が形成されている。
【００３５】
すなわち、スピーカ装着板９０には、その凹部９１の前側から同凹部９１の開口孔を通してスピーカ９４の主体部をなす磁石９８及びコーン９９が挿通されるとともに、スピーカフレーム９５のフランジ部９６が凹部９１に嵌込まれる。この状態でビスがスピーカフレーム９５のフランジ部９６の取付孔を通して凹部９１の底部のボス部９１ａにねじ込まれることでスピーカ装着板９０にスピーカ９４が位置決めされた状態で装着されるようになっている。
【００３６】
また、スピーカ装着板９０の周縁部には、スピーカボックス７０前縁のボス部７０ｂに対応する取付孔をそれぞれ有する取付部９０ａが外側に向けて一体に形成されている。
さらに、スピーカ装着板９０の周縁及びその各取付部９０ａの周縁に沿って背面側に向けて略直角をなしかつスピーカボックス７０の環状突出部７０ａ及びボス部７０ｂの外側面を覆い被すようにして折返縁９０ｂが環状に形成されている。
また、スピーカ装着板９０の背面側には、その折返縁９０ｂと凹部９１の外側部との間に嵌込まれかつスピーカボックス７０前縁の環状突出部７０ａに対応する防振部材としての略四角環状の防振パッキン９３が装着されている。
【００３７】
すなわち、図８と図９に示すように、スピーカ装着板９０は、その折返縁９０ｂにおいてスピーカボックス７０の環状突出部７０ａ及びボス部７０ｂの外側面を覆い被すようにして嵌込まれる。これによって、スピーカボックス７０の各ボス部７０ｂとスピーカ装着板９０の各取付部９０ａの取付孔とが同一中心線状に位置合わせされる。そして、この状態でビスがスピーカ装着板９０の各取付部９０ａの取付孔を通してボス部７０ｂにねじ込まれることでスピーカボックス７０にスピーカ装着板９０を介してスピーカ９４が装着されるようになっている。
さらに、スピーカボックス７０にスピーカ装着板９０を介してスピーカ９４が装着された状態において、シリコーンゴム等の弾性体よりなる防振パッキン９３がスピーカボックス７０の環状突出部７０ａとスピーカ装着板９０との間に挟まれかつ僅かではあるが弾性的に圧縮される。そして、スピーカ９４の作動時の振動が防振パッキン９３によって吸収され、ひいては本体枠３０に伝達されることが軽減されるようになっている。
【００３８】
［本体枠の前側の下部領域について］
また、図４と図５に示すように、本体枠３０の前面の下部領域のスピーカ９４と反対側寄りの上部には、遊技盤４０の発射通路に向けて球を導く発射レール６８が傾斜状に装着されている。
また、本体枠３０の前面の下部領域の前側には、その下部領域略下半部を覆うようにして下部前面板１１０が装着されている。この下部前面板１１０の前面の略中央部には、下皿１１１が設けられ、片側寄りには操作ハンドル１１５が設けられている。
図４と図８に示すように、本体枠３０の前面の下部領域の前側に下部前面板１１０が装着されることによって、スピーカ９４の略下半部前方が下部前面板１１０によって覆い隠される。
言い換えると、下部前面板１１０によってスピーカ９４の略下半部前方が覆い隠される程の大型のスピーカ９４が本体枠３０の前面の下部領域に配設される。
そして、図８〜図１０に示すように、下部前面板１１０には、スピーカ９４及び音響通路８０の音響用開口部８５に対応する位置において開口部が形成され、その開口部には複数のスリット状の音響用貫通孔を有する塞ぎ板１１０ａが装着されている。
【００３９】
［ガラス扉について］
図１と図２に示すように、本体枠３０の前面の片側には、同本体枠３０の上端から下部前面板１１０にわたる部分を覆うようにしてガラス扉１３０が扉開閉用ヒンジ機構１２０によって前方に開閉可能に装着されている。ガラス扉１３０のヒンジ機構と反対側に自由端側の後側には、本体枠３０に設けられた扉施錠フック１４１に係脱可能に係合してガラス扉１３０を閉じ状態に施錠する係止部（図示しない）が設けられている。
また、ガラス扉１３０には、遊技盤４０の遊技領域４４を前方から透視可能な開口窓を構成する窓枠１３２が設けられ、その窓枠１３２にはガラス板、透明樹脂板等の透明板１３３が装着されている。
また、ガラス扉１３０の前面の開口窓を除く略全体は、ランプ等が内設された前面装飾部材によって装飾され、同ガラス扉１３０の前面の下部には上皿１３６が形成されている（図２参照）。
また、ガラス扉１３０には、スピーカ９４の前方に対向する位置において、複数のスリット状の音響用貫通孔１３７が形成されている。
【００４０】
［本体枠後側の機構装着体について］
一方、図３に示すように、本体枠３０の後側の機構装着体１６０の上部には多数の球を貯留可能な容積をもつ球タンク１６５とタンクレール１７５とが連通状に装着されている。また、本体枠３０の機構装着体１６０の片側（図３に向かって右側）寄りの上下方向には縦長状にユニット化された球払出装置２１０が装着されている。
また、この実施例において、図３に示すように、本体枠３０の後側の機構装着体１６０の下部領域の片側（図３に向かって左側）には、発射レール１００の下傾端部の発射位置に送られた球を発射するための発射ハンマー２３３、その発射ハンマー２３３を作動する発射モータ２３２等を有する発射装置ユニット２３０が装着されている。また、機構装着体１６０の下部領域の中央部には、電源基板を有する電源基板ボックス２４０、枠制御基板を有する枠制御基板ボックス２３４等が装着されている。
【００４１】
［実施例の作用・効果について］
この実施例に係る遊技機は上述したように構成される。
したがって、遊技の際、例えば、図柄表示装置４８の表示面４９に表示される図柄が変動表示されるとき、リーチ状態となったとき、大当たりとなったとき等において、副制御基板ボックス６５の副制御基板に構成された音声制御回路から伝達される信号に基づいてスピーカ９４が作動される。すると、スピーカ９４の作動による音が遊技機前方に出される。また、スピーカ９４の作動による音がスピーカボックス７０の音響室７１及び音響通路８０を経て、その音響用開口部８５から前方に出される。
【００４２】
さて、この実施例に係る遊技機において、本体枠３０は、遊技盤装着枠３１と、機構装着体１６０と、を備えるとともに、合成樹脂材によって一体成形されるため、大型で剛性が高くかつ前後方向の奥行き寸法も大きくなる。
そして、本体枠３０の成形と同時に、前方に開口する箱形状のスピーカボックス７０を一体に形成することによって、奥行き寸法が大きいスピーカボックス７０を良好に得ることができる。さらに、スピーカボックス７０の開口部には、スピーカ９４を安定よく装着することができる。
これによって、スピーカ９４のコーン（振動板）９９の後側とスピーカボックス７０の後壁部７５との間に密閉状の音響室７１を構成することが可能となる。
さらに、本体枠３０の前側に対し、同本体部３０とは別体にスピーカボックスを形成して取り付ける手間を省くことができ構造がきわめて簡単となる。
【００４３】
特に、スピーカボックス７０は、その後壁部７５が遊技盤装着枠３１の後側を越える奥行き寸法をもって大きく形成される。このため、スピーカ９４の作動時に音響室７１内に発生する音波によってスピーカ９４のコーン（振動板）９９の動きが阻害されることを良好に抑制することができる。
言い換えると、スピーカ９４の作動時に音響室７１に発生する発生する音波によってスピーカ９４のコーン（振動板）９９の動きが阻害されることを抑制することができる大きさにおいて、スピーカボックス７０の奥行き寸法を容易に設定することができる。
しかも、大型で剛性が高くかつ前後方向の奥行き寸法が大きい本体枠３０の成形と同時に、前方に開口する箱形状のスピーカボックス７０を一体に形成することによって、スピーカ９４を安定よくかつ強固に装着することができるとともに、ビビリ音等の異音が発生や音響室内の逆位相の音波が漏れ出ることを防止することができ、音響効果を良好に高めることができる。
【００４４】
また、スピーカ９４の作動時おいて、そのスピーカ９４のコーン（振動板）９９の振動によって本体枠３０が振動（共振）するのを抑えることができる。
これによって、例えば、スピーカ９４の作動時の振動が原因となって発射装置の発射レール１００や発射ハンマー２３３が不測に振動される不具合を防止することができる。この結果、発射ハンマー２３３によって発射レール１００の発射位置から発射される球（パチンコ球）の発射状態が不測に変化する発射不良を防止することができる。
また、本体枠３０の一側寄り部分に配置された発射装置とは反対側の他側寄り部分にスピーカボックス７０が形成されている。これによって、発射装置から遠い位置にスピーカボックス７０を形成することができるため、スピーカ９４の作動時の振動が発射装置に伝達されることを軽減することができる。
すなわち、スピーカ９４の作動時の振動伝達が原因となって、発射レール１００の発射位置から発射される球（パチンコ球）が不測に変化して発射される発射不良を良好に防止することができる。
【００４５】
また、図８〜図１０に示すように、スピーカボックス７０の内壁部（上壁部７２、下壁部７３、左右の両側壁部７４の各内壁面）は、開口側が広く、奥側が狭い段差形状に形成されている。このため、スピーカボックス７０の強度が良好に高められるとともに、スピーカ９４の作動時のスピーカボックス７０の振動を良好に抑えることができ、ひいては本体枠３０の振動防止に効果が大きい。
また、段差形状に形成されるスピーカボックス７０の内壁部は、開口側が広く奥側が狭いため、例えば、合成樹脂材によって本体枠３０の成形（例えば、射出成形）と同時にスピーカボックス７０を形成した後、脱型する際、本体枠３０の脱型がスピーカボックス７０によって困難となる不具合を防止することができる。
また、スピーカボックス７０の内壁部は、開口側が広く、奥側が狭くなるように傾斜する傾斜面又はテーパ面に形成されることで、本体枠３０の脱型をより一層容易に行うことができる。
【００４６】
また、この実施例において、スピーカボックス７０にスピーカ９４を装着する場合には、まず、スピーカ装着板９０の凹部９１にスピーカフレーム９５のフランジ部９６を嵌込んでビスによって取り付ける。これによって、スピーカ装着板９０にスピーカ９４を位置決めした状態で容易に装着することができる。
次に、スピーカボックス７０の音響室７１の開口部周縁に形成された環状突出部７０ａ及びボス部７０ｂの外側面を覆い被すようにしてスピーカ装着板９０の周縁部の折返縁９０ｂを嵌込む。その後、スピーカ装着板９０の取付孔を通してビスをスピーカボックス７０のボス部７０ｂにねじ込むことによって、スピーカボックス７０の音響室７１の開口部を塞ぐようにしてスピーカ装着板９０を容易にかつ位置ずれすることなく装着することができる（図８〜図１０参照）。
前記したようにして、スピーカボックス７０にスピーカ装着板９０によってスピーカ９４を安定よく強固に装着することができるとともに、スピーカ９４の作動時の音響性能を向上させることができる。
【００４７】
また、スピーカ装着板９０の背面側には、その折返縁９０ｂと凹部９１の外側部との間に嵌込まれかつスピーカボックス７０前縁の環状突出部７０ａに対応するシリコーンゴム等の弾性体よりなる略四角環状の防振パッキン９３が装着されている。
そして、スピーカボックス７０の音響室７１の開口部に防振パッキン９３及びスピーカ装着板９０を介してスピーカ９４が装着される（図８〜図１０参照）。
このため、スピーカ９４の作動時の振動が防振パッキン９３によって吸収される。この結果、スピーカ９４の作動時の振動が本体枠３０に伝達されることを防止することができ、振動伝達による本体枠３０の振動（共振）を良好に抑えることができる。
【００４８】
また、図６と図１０に示すように、音響室７１に一端部が連通され他端が本体枠３０の前側に開口するようにして設けられた音響通路８０によって音響効果を高めることができる。
すなわち、音響通路８０を、スピーカ９４の作動時に音響室７１内に発生する逆位相の音波を正位相に反転して前方に放出することができるように、所要とする横断面積及び通路長さに設定することによって、バスレフ用の音響通路を容易に設定することができ、音響効果を高めることができる。
この実施例において、音響室７１の前側からその一方の側壁部７４ａのスライド溝７８、７８ａにダクト部材８１のスライド片８３ａ、８４ａが差し込まれた状態で同ダクト部材８１が一方の側壁部７４ａの段差部又は後壁部７５に当接する所定位置までスライドされることで、一方の側壁部７４ａにダクト部材８１が位置決めされて正確に装着される。  前記したように、音響室７１の一方の側壁部７４ａにダクト部材８１が装着されることで、一方の側壁部７４ａとダクト部材８１との協働によって前方に開口する音響用開口部８５を有する音響通路８０が容易に構成される。
【００４９】
また、音響通路８０において、音響室７１の一方の側壁部７４ａに凹条部７６を形成し、平板状のダクト部材を一方の側壁部７４ａの凹条部７６を塞ぐようにして装着することによっても音響通路を構成することもできる。
また、凹条部有して断面略半筒状に形成されたダクト部材８１を音響室７１の一方の側壁部７４ａの平坦面に装着することによっても音響通路を構成することもできる。
【００５０】
［他の実施例について］
なお、この発明は前記実施例に限定するものではない。
例えば、前記実施例においては、スピーカボックス７０の音響室７１の内壁面にダクト部材８１を装着して、一端部が音響室７１の奥側寄りに連通し他端が本体枠３０の前側に開口する音響用開口部８５を有する前後方向に長尺な音響通路８０が設けられている場合を例示したが、音響通路８０が設けられない密閉型のスピーカボックスであってもこの発明を実施することができる。
また、パチンコ機以外の遊技機、例えば、スロットマシンであってもこの発明を採用することができる。
【００５１】
また、前記実施例は次に述べる他の発明を含んでいる。
【００５２】
［他の発明の手段及び作用効果について］
他の発明の手段１は、
「スピーカを備えた遊技機であって、
遊技機の所定位置に配置される合成樹脂製の枠体には音響室を有するスピーカボックスが一体に形成され、
前記スピーカボックスの開口部には、防振部材を介してスピーカが装着されていることを特徴とする遊技機。」を要旨とする。
ここで、枠体とは内枠、前面枠等と呼ばれる前枠、前枠及び機構板を一体化した本体枠、ガラス枠等をいう。
【００５３】
前記構成において、スピーカ作動時の振動を防振部材によって吸収することができる。このように防振部材によって、スピーカ作動時の振動を枠体に伝達されることを防止することができ、振動伝達による枠体の振動（共振）を良好に抑えることができる。
例えば、従来、一般的に行われるように、枠体のスピーカ装着部に対し、同枠体と別体のスピーカボックスを防振部材を介在させることなく、直接的に接触させて装着した場合、スピーカ作動時の振動が、スピーカボックスとの接触部分を経て枠体に伝達されることになる。そして、スピーカ作動時の振動伝達によって枠体が振動（共振）し、音響効果が低下させたり、あるいは異音を発生させる場合がある。
そこで、枠体のスピーカ装着部に対し、同枠体と別体のスピーカボックスを防振部材を介在させて装着することが考えられる。しかしながら、この場合には、枠体とスピーカボックスとの接触部分に全体に防振部材を介在させる必要があり、その作業に多くの手間や時間が必要となる。
このような問題点を解決するために、合成樹脂製の枠体に対し音響室を有するスピーカボックスを一体に形成し、そのスピーカボックスの開口部に防振部材を介してスピーカを装着する構成にした。
このようにして、枠体と一体のスピーカボックスの開口部に防振部材を介してスピーカを装着するという極めて簡単な構造によって、枠体に対するスピーカの振動伝達を抑制することができ、枠体の振動が原因となる音響効果の低下や異音発生を防止することができる。
【００５４】
他の発明の手段１の従属項としての手段２に係る遊技機において、スピーカには装着用部材が設けられ、
前記装着用部材と、スピーカボックスの開口部の周縁部との間に防振部材が挟み込まれて介装されていることを特徴とすることを特徴とする。
したがって、スピーカの装着用部材と、スピーカボックスの開口部の周縁部との間に、防振部材を挟み込んで容易に介装することができとともに、枠体に対するスピーカの振動伝達を防振部材によって良好に抑制することができる。
【００５５】
他の発明の手段１又は２の従属項としての手段３に係る遊技機において、防振部材は、弾性体よりなる防振パッキンによって構成されていることを特徴とすることを特徴とする。
したがって、スピーカ作動時の振動を防振パッキンが有する弾性によって良好に吸収することができるため、スピーカ作動時おける枠体に対する振動伝達を確実に抑えることができる。
【図面の簡単な説明】
【００５６】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠と遊技盤とを分離して斜め右上前方から示す斜視図である。
【図５】同じく遊技機の本体枠を斜め左上前方から示す斜視図である。
【図６】同じく本体枠のスピーカボックス、ダクト部材及びスピーカの関係を分離して示す斜視図である。
【図７】同じくスピーカ装着板、スピーカ及び防振パッキンを分離して示す斜視図である。図図である。
【図８】同じくスピーカボックスにスピーカが装着された状態を示す側断面図である。
【図９】同じくスピーカボックスの側壁部にダクト部材が装着された状態を示す側断面図である。
【図１０】同じく図９のＸ−Ｘ線に基づく平断面図である。
【図１１】同じく本体枠を前側から示す斜視図である。
【図１２】同じく本体枠を後側から示す斜視図である。
【符号の説明】
【００５７】
１０  外枠
３０  本体枠
３１  遊技盤装着体
３３  遊技盤装着枠
４０  遊技盤
７０  スピーカボックス
７１  音響室
９０  スピーカ装着板
９３  防振パッキン（防振部材）
９４  スピーカ
１６０  機構装着体
１６５  球タンク
１７５  タンクレール
２１０  球払出装置
【図１】
2005218852.tif 000003
【図２】
2005218852.tif 000004
【図３】
2005218852.tif 000005
【図４】
2005218852.tif 000006
【図５】
2005218852.tif 000007
【図６】
2005218852.tif 000008
【図７】
2005218852.tif 000009
【図８】
2005218852.tif 000010
【図９】
2005218852.tif 000011
【図１０】
2005218852.tif 000012
【図１１】
2005218852.tif 000013
【図１２】
2005218852.tif 000014